(57)【要約】【課題】  エレベーターかごの壁の表面に長期的に取り付けられていても見栄えの悪くない着脱可能なカバー部材を備えるエレベーターかごを提供する。【解決手段】  本考案のエレベーターかごは、内壁２の表面２１に繊維状シートからなる表皮材３を有するエレベーターかごであって、表皮材３の表面３１に着脱可能に取り付けられるシート状のカバー部材５と、表皮材３及びカバー部材５の間に位置し、カバー部材５を表皮材３の表面３１に貼り付けた状態では少なくとも３ヶ月以上の接着保持能力を有し、カバー部材５を表皮材３より剥離した時に表皮材３の表面に一部ののり残しなく剥がすことができる粘着部材４と、を有することを特徴とする。【選択図】図１
0003217569.tif 000002
【実用新案登録請求の範囲】
【請求項１】
内壁の表面に繊維状シートからなる表皮材を有するエレベーターかごであって、
前記表皮材の表面に着脱可能に取り付けられるシート状のカバー部材と、
前記表皮材及び前記カバー部材の間に位置し、前記カバー部材を前記表皮材の表面に貼り付けた状態では少なくとも３ヶ月以上の接着保持能力を有し、前記カバー部材を前記表皮材より剥離した時に前記表皮材の表面に一部ののり残しなく剥がすことができる粘着部材と、
を有することを特徴とするエレベーターかご。
【請求項２】
前記カバー部材は前記表皮材が視認可能な透明なシート状である、請求項１に記載のエレベーターかご。
【請求項３】
前記カバー部材は消臭、抗菌、又は防カビの成分を含有する、請求項１又は２に記載のエレベーターかご。
【考案の詳細な説明】
【技術分野】
【０００１】
本考案は、内壁の表面に着脱可能なカバー部材を備えるエレベーターかごに関する。
【背景技術】
【０００２】
人や荷物をのせるエレベーターの箱状の構造物はかごと呼ばれる。かごは、天井、床、壁、扉、換気扇などで構成される。天井、床、壁は、通常、鋼板により構成されており、意匠や機能性が考慮されて、天井には意匠性の高い照明が取り付けられたり、床にはカーペットなどの繊維製品が敷設されたり、壁には表面コートが施されていたりしている。
【０００３】
さらに、エレベーターかごには、内壁が汚れても分かりにくく、また内壁が汚れないよう傷がつきにくいように、特許文献１に開示されているクッション性のある緩衝部材や特許文献２に開示されている繊維状の板材などの表皮材が取り付けられている場合がある。特に、マンションのエレベーターかごの内壁には繊維状シートからなる表皮材が常時取り付けられている場合が多い。
【０００４】
ところで、引っ越し作業などのような荷物を搬入・搬出する際、エレベーターかごの内壁には作業に伴う汚れや傷から保護するために、上記した表皮材の表面にさらにビニールシートやプラスチック段ボールなどのカバー部材を養生テープで貼り付ける場合が多い。引っ越し作業などは数時間であるため、カバー部材の使用は一時的なものであるが、長時間保護(養生)する必要がある場合、例えばマンション全体の改築や改装などの場合、数ヶ月以上もカバー部材を使用することとなる。そのような場合、カバー部材が比較的短時間で上端の部分から剥離して垂れ下がることがある。深夜にマンションに帰り、カバー部材が垂れ下がったエレベーターに一人で乗り込むのは気持ちの悪いものでエレベーター管理人へのクレームとなる。かかる垂れ下がりを無くするために接着力の強い粘着剤を使用するとカバー部材を剥がす際に粘着剤の一部が残り一部ののり残しが発生し、その処理に困る。
【０００５】
このような問題は繊維状シートからなる表皮材に適した粘着剤がないことに起因する。本願考案者は粘着剤の専門業者に繊維状シートからなる表皮材の表面に貼り付けた状態で少なくとも３ヶ月以上の接着保持能力を有し、かつ、カバー部材を表皮材より剥離した時に表皮材の表面に一部ののり残しなく剥がすことができる粘着部材を依頼し、目的の粘着剤を得た。この粘着剤を使用することにより繊維状シートからなる表皮材にカバー部材を粘着固定し３ヵ月を超える長期間カバー部材の垂れ下がりがなくかつ３か月後に表皮材からすべての粘着剤が残らない、一部ののり残しがなくカバー部材を剥離できた。これにより３か月の長期間、マンション住人に不安を与えることなくマンションの改築や改装ができた。
【０００６】
なお、この粘着剤は、溶剤やモノマー等の気発成分を含まないエラスト−マー樹脂で構成されかつ常温で少なくとも３か月間架橋硬化が進まないものである。今日の粘着剤専門業者であれば容易に得られるものである。
【先行技術文献】
【特許文献】
【０００７】
【特許文献１】特開２００３−２５３８４９号公報
【特許文献２】特開２００９−７３６４０号公報
【考案の概要】
【考案が解決しようとする課題】
【０００８】
本考案は、上記状況に鑑みてなされたもので、エレベーターかごの内壁の繊維状シートからなる表皮材の表面に長期的に取り付けられていても接着剤ののり残しなく剥離可能なカバー部材を備えるエレベーターかごを提供することを解決すべき課題とする。
【課題を解決するための手段】
【０００９】
（１）上記課題を解決するための考案の構成上の特徴は、内壁の表面に繊維状シートからなる表皮材を有するエレベーターかごであって、
前記表皮材の表面に着脱可能に取り付けられるシート状のカバー部材と、
前記表皮材及び前記カバー部材の間に位置し、前記カバー部材を前記表皮材の表面に貼り付けた状態では少なくとも３ヶ月以上の接着保持能力を有し、前記カバー部材を前記表皮材より剥離した時に前記表皮材の表面に一部ののり残しなく剥がすことができる粘着部材と、
を有することである。
【００１０】
ここで、「のり残し」とは粘着部材(粘着剤)を剥離後に被着体に粘着部材が残ることをいい、「一部ののり残しなく」とは粘着部材を剥離後に粘着部材が被着体にほぼ残らないことを言う。
【００１１】
上記（１）の考案は以下に記す（２）又は（３）の構成のうちの１つ以上を任意に加えて採用できる。
【００１２】
（２）前記カバー部材は前記表皮材が視認可能な透明なシート状である。
【００１３】
（３）前記カバー部材は消臭、抗菌、又は防カビの成分を含有することである。
【考案の効果】
【００１４】
本願考案者は粘着剤の専門業者に繊維状シートからなる表皮材の表面に貼り付けた状態で少なくとも３ヶ月以上の接着保持能力を有し、かつ、カバー部材を表皮材より剥離した時に表皮材の表面に一部ののり残しなく剥がすことができる粘着部材を依頼し、目的の粘着剤を得た。この粘着剤を使用することにより繊維状シートからなる表皮材にカバー部材を粘着固定し３ヵ月を超える長期間カバー部材の垂れ下がりがなくかつ３か月後に表皮材からすべての粘着剤が残らない、一部ののり残しがなくカバー部材を剥離できた。よって、エレベーターかごの内壁に粘着部材による汚れもなく、粘着部材を取り除く作業もない。
さらに、本考案のエレベーターかごは、養生テープのようなものでカバー部材がエレベーターかごの内壁の表皮材に貼り付けられる構造ではなく、表皮材とカバー部材と間に粘着部材を備えるため、カバー部材の意匠を考慮することで外観を損なわない。
【００１５】
さらに、カバー部材として透明度の高いものを使用することで、本来のエレベーターかごの内壁デザインを視認可能な、つまりエレベーターかごの意匠性も損なわずにエレベーターかごの内壁及び表皮材を保護することができる。
【図面の簡単な説明】
【００１６】
【図１】実施形態のエレベーターかごの一部断面である。
【考案を実施するための形態】
【００１７】
本考案の代表的な実施形態について図１を参照して説明する。本実施形態に係るエレベーターかごは、人や荷物をのせて上下動可能な箱状のエレベーターのかごであり、かごを上下動させる構造や機能については公知の技術を用いることができ、本考案の実質的な内容ではないため説明を省略する。なお、図１に示す本考案のエレベーターかごの一部断面図において、構成を分かりやすくするため各部材の厚さは実際の厚さとは関係ない。また、それぞれの部材は、部材毎に一般的あるいは適当な厚さであるものとする。
【００１８】
エレベーターかごは、天井、床、壁が鋼板により構成されており、壁の内側(内壁２)の表面２１には、繊維状シートからなる表皮材３として不織布が着脱可能又は内壁２に一体的に取り付けられている。表皮材３は、傷付きにくく、傷や汚れが目立ちにくい素材が望ましく、吸音性やクッション性(弾性)を備えているものがさらに好ましい。例えば、ニードルパンチ。表皮材３が取り付けられている位置や範囲としては、開閉扉以外の内壁２の三面で、高さ方向の位置や範囲としては意匠性、目的、用途に応じて様々であるものとする。例えば、床から天井まで全体、床から一定の高さ、あるいは床よりある程度の高さから一定の高さまで、などのように様々である。なお、図１において、内壁２と表皮材３との間の接着剤の図示は省略されている。接着剤ではないもので取り付けられている場合もあり、また本考案の実質的な内容にかかるものではないためである。
【００１９】
そして、エレベーターかごは表皮材３の表面３１にさらに粘着部材４によって着脱可能に取り付けられているカバー部材５を有する。カバー部材５はシート状の部材であり、有機溶剤のような溶剤によって溶けたりせず、傷が付きにくい又は傷が目立ちにくいものが望ましい。カバー部材５の位置や範囲は表皮材３と同様に、開閉扉以外の内壁２の三面で、高さ方向の位置や範囲としては様々であるが最低限の範囲を覆うものである。例えば、大人が立っている状態で触れる可能性のある範囲、特にボタン類のある操作盤の表面はカバー部材５で覆われていることが望ましい。
【００２０】
粘着部材４は、操作盤とカバー部材５との間には配置されないことが望ましく、操作盤を除いた表皮材３の表面３１とカバー部材５との間の全面あるいは必要最低限の範囲に配置されている。必要最低限の範囲としては、カバー部材５が粘着部材４によって表皮材３の表面３１に少なくとも３ヶ月以上接着保持されることができる程度の接着保持能力を維持できる範囲である。
【００２１】
粘着部材４としては、溶剤やモノマー等の気発成分を含まないエラスト−マー樹脂で構成されかつ常温で少なくとも３か月間架橋硬化が進まないものである。今日の粘着剤専門業者であれば容易に得られるものである。
【００２２】
粘着部材４は透明であることは必須ではないが、カバー部材５として透明度の高い部材、例えばＰＥＴフィルム(ポリエチレンテレフタレート)を用いる場合は、カバー部材５同様に透明度の高いことが望ましい。
【００２３】
その他に、カバー部材５としては、消臭、抗菌、又は防カビの成分を含有するものを採用することができる。作業にかかる匂い、長雨や梅雨の時期の菌やカビの繁殖を抑制や防止することができることで、マンション住人を含む利用者への配慮の高いエレベーターかごを提供できる。
【００２４】
本願考案者は粘着剤の専門業者に繊維状シートからなる表皮材３の表面３１に貼り付けた状態で少なくとも３ヶ月以上の接着保持能力を有し、かつ、カバー部材５を表皮材３より剥離した時に表皮材３の表面３１に一部ののり残しなく剥がすことができる粘着部材４を依頼し、目的の粘着剤を得た。この粘着剤を使用することにより繊維状シートからなる表皮材３にカバー部材５を粘着固定し３ヵ月を超える長期間カバー部材５の垂れ下がりがなくかつ３か月後に表皮材３からすべての粘着剤が残らない、一部ののり残しがなくカバー部材５を剥離できた。よって、本実施形態のエレベーターかごは、内壁２に粘着部材４による汚れもなく、粘着部材４を取り除く作業もない。
さらに、本実施形態のエレベーターかごは、養生テープのようなものでカバー部材５がエレベーターかごの内壁２の表皮材３に貼り付けられる構造ではなく、表皮材３とカバー部材５と間に粘着部材４を備えるため、カバー部材５の意匠を考慮することで外観を損なわない。
【００２５】
さらに、カバー部材５として透明度の高いものを使用することで、本来のエレベーターかごの内壁デザインを視認可能な、つまりエレベーターかごの意匠性も損なわずにエレベーターかごの内壁２及び表皮材３を保護することができる。
【符号の説明】
【００２６】
２：内壁  ２１：内壁の表面、
３：表皮材  ３１：表皮材の表面
４：粘着部材
５：カバー部材。
【図１】
0003217569.tif 000003